【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
カルボキシル基を有しガラス転移温度が７０℃未満であるアクリルポリマーの水分散体（ａ１）とカルボキシル基を有するウレタンポリマーの水分散体（ａ２）とを含有する塗膜形成可能な主剤（Ｘ）と、ポリカルボジイミドからなる硬化剤（Ｙ）とを含有し、上記アクリルポリマーの水分散体（ａ１）とカルボキシル基を有するウレタンポリマーの水分散体（ａ２）の割合［（ａ１）／（ａ２）］が、質量基準で、１１／８９〜８９／１１に設定されていることを特徴とするフロアコーティング剤組成物。
【請求項２】
上記アクリルポリマーが、酸価３０〜１６０のアクリルポリマーである請求項１記載のフロアコーティング剤組成物。
【請求項３】
上記ウレタンポリマーが、酸価５〜５０のウレタンポリマーである請求項１または２記載のフロアコーティング剤組成物。
【請求項４】
上記アクリルポリマーが、構造単位として、カルボキシル基および脂肪族環状構造を有する構造単位を含むものである請求項１〜３のいずれか一項に記載のフロアコーティング剤組成物。
【請求項５】
上記硬化剤（Ｙ）であるポリカルボジイミドが、水溶液もしくは水分散体として含有されている請求項１〜４のいずれか一項に記載のフロアコーティング剤組成物。
【請求項６】
上記硬化剤（Ｙ）であるポリカルボジイミドが、水溶液もしくは水分散体として、上記主剤（Ｘ）１００質量％に対し０．５〜２５質量％の割合で含有されている請求項５記載のフロアコーティング剤組成物。
【請求項７】
上記主剤（Ｘ）が、ポリエチレン系ワックスの水分散体（ａ３）を含有するものである請求項１〜６のいずれか一項に記載のフロアコーティング剤組成物。
【手続補正２】
【補正対象書類名】明細書
【補正対象項目名】００１６
【補正方法】変更
【補正の内容】
【００１６】
上記の目的を達成するため、本発明は、カルボキシル基を有しガラス転移温度が７０℃未満であるアクリルポリマーの水分散体（ａ１）とカルボキシル基を有するウレタンポリマーの水分散体（ａ２）とを含有する塗膜形成可能な主剤（Ｘ）と、ポリカルボジイミドからなる硬化剤（Ｙ）とを含有し、上記アクリルポリマーの水分散体（ａ１）とカルボキシル基を有するウレタンポリマーの水分散体（ａ２）の割合［（ａ１）／（ａ２）］が、質量基準で、１１／８９〜８９／１１に設定されているフロアコーティング剤組成物を第１の要旨とする。
【手続補正３】
【補正対象書類名】明細書
【補正対象項目名】００１９
【補正方法】変更
【補正の内容】
【００１９】
そして、本発明は、それらのなかでも、特に、上記硬化剤（Ｙ）であるポリカルボジイミドが、水溶液もしくは水分散体として含有されているフロアコーティング剤組成物を第４の要旨とし、上記硬化剤（Ｙ）であるポリカルボジイミドが、水溶液もしくは水分散体として、上記主剤（Ｘ）１００質量％に対し０．５〜２５質量％の割合で含有されているフロアコーティング剤組成物を第６の要旨とする。
【手続補正４】
【補正対象書類名】明細書
【補正対象項目名】００２１
【補正方法】変更
【補正の内容】
【００２１】
すなわち、本発明のフロアコーティング剤組成物は、主剤（Ｘ）の樹脂成分として、ガラス転移温度が７０℃未満のアクリルポリマーと、ウレタンポリマーとを、特定の割合で組み合わせたものであるため、コーティングの対象となる床面が、病院や老健施設、保育園等で多用される、比較的軟らかい床面であっても、それに追従し密着して優れた耐久性を示す塗膜を得ることができる。しかも、上記アクリルポリマーとウレタンポリマーとが、ともにカルボキシル基を有し、硬化剤（Ｙ）として用いられるポリカルボジイミドと反応して複雑な三次元架橋構造を有する塗膜となるため、上述のとおり比較的軟らかい塗膜でありながら、優れた耐薬品性を備えたものとなる。
【手続補正５】
【補正対象書類名】明細書
【補正対象項目名】００２７
【補正方法】変更
【補正の内容】
【００２７】
また、そのなかでも、特に、上記硬化剤（Ｙ）であるポリカルボジイミドが、水溶液もしくは水分散体として、上記主剤（Ｘ）１００質量％に対し０．５〜２５質量％の割合で含有されているものは、塗工作業性と、得られる塗膜の耐久性や耐薬品性とのバランスに優れ、好適である。
【手続補正６】
【補正対象書類名】明細書
【補正対象項目名】００４８
【補正方法】変更
【補正の内容】
【００４８】
なお、本発明において、「酸価」は、試料をキシレンとジメチルホルムアミド（１／１、容積比）を混合した滴定溶剤に溶かし、電位差滴定法により、０．１ｍｏｌ／Ｌの水酸化カリウム・エタノール溶液で滴定し、滴定曲線上の変曲点を終点（中和点）とする。そして、水酸化カリウム・エタノール溶液の終点までの滴定量から算出して求めた値である。
【手続補正７】
【補正対象書類名】明細書
【補正対象項目名】００６８
【補正方法】変更
【補正の内容】
【００６８】
また、本発明のカルボキシル基を有するウレタンポリマーの水分散体（ａ２）は、そのウレタンポリマーの水分散体によって形成される塗膜物性において、例えば１００％モジュラス（ＭＰａ）が５〜７０のものが好ましく、なかでも、１５〜５０のものがより好ましい。
【手続補正８】
【補正対象書類名】明細書
【補正対象項目名】００６９
【補正方法】変更
【補正の内容】
【００６９】
本発明のフロアコーティング剤組成物の主剤（Ｘ）において、前記アクリルポリマーの水分散体（ａ１）と上記ウレタンポリマーの水分散体（ａ２）は、（ａ１）／（ａ２）の割合が、質量比で、１１／８９〜８９／１１となるように設定される。そして、２０／８０〜８０／２０であることが好ましく、なかでも、３０／７０〜７０／３０であることがより好ましい。すなわち、主剤（Ｘ）において、ウレタンポリマーが少なすぎると耐スカッフ性や耐アルコール性が低下するおそれがあり、逆に、アクリルポリマーが少なすぎると床面への密着性が低下するとともにコストが高くなるおそれがある。
【手続補正９】
【補正対象書類名】明細書
【補正対象項目名】００７２
【補正方法】変更
【補正の内容】
【００７２】
上記ワックスは、水分散体（ａ３）として主剤（Ｘ）に配合することが好適であり、例えば、水に対し３０〜５０質量％のワックスを乳化もしくは分散させることによって、水分散体（ａ３）を得ることができる。そして、上記ワックスを用いる場合、その含有量は、水分散体（ａ３）として、主剤（Ｘ）１００質量％に対し、０．０１〜１５質量％であることが好ましく、０．１〜１０質量％であることがより好ましく、０．５〜７質量％であることがさらに好ましい。
【手続補正１０】
【補正対象書類名】明細書
【補正対象項目名】００７７
【補正方法】変更
【補正の内容】
【００７７】
そして、フロアコーティング剤組成物全体におけるポリカルボジイミドの含有量は、通常、ポリカルボジイミドの水溶液または水分散体全体の量が、アクリルポリマー水分散体（ａ１）とウレタンポリマー水分散体（ａ２）からなる主剤（Ｘ）１００質量％に対し、０．５〜２５質量％の割合となるよう設定することが好ましく、なかでも、１〜２０質量％であることがより好ましく、１．５〜１５質量％であることがさらに好ましい。すなわち、上記ポリカルボジイミドの含有量が少なすぎても多すぎても、得られる塗膜性能が低下する傾向がみられるからである。
【手続補正１１】
【補正対象書類名】明細書
【補正対象項目名】０１０４
【補正方法】変更
【補正の内容】
【０１０４】
＜表３〜表１９＞
１Ｙ：硬化剤／日清紡ケミカル社製、カルボジライトＶ１０、固形分濃度４０質量％
２Ｙ：硬化剤／日清紡ケミカル社製、カルボジライトＶ−０２−Ｌ２、固形分濃度４０質量％
ワックス：ハネウェル社製、酸化ポリエチレンワックスＡＣ３１６（融点１４０℃、酸価１６）の強制乳化物、固形分濃度２０質量％
市販品１０：シーバイエス社製、光沢王エボリューション
市販品１１：シーバイエス社製、ヘルスケアコート
【手続補正１２】
【補正対象書類名】明細書
【補正対象項目名】０１３１
【補正方法】変更
【補正の内容】
【０１３１】
本発明のフロアコーティング剤組成物は、さまざまな床面、とりわけ病院等に用いられる比較的軟らかい床面に対し、長期にわたって美観を維持するための保護塗膜を形成することに利用することができる。